(57)【要約】【課題】【解決手段】電動ホチキス（５）をコピー機設備（１）に機械的かつ電気的に取り付けるための装着装置（１３）が、ホチキス（５）をコピー機設備（１）に取り付けるための、ホチキスに取着された第１の取り付け用部品（１６）およびコピー機設備に取着された第２の取り付け用部品（１７）を有する機械的な取り付け装置（１５）と、ホチキスを電源（２３）に電気的に接続させるための電気的な接続装置（２６）とを有する。これら機械的な取り付け装置（１５）と電気的な接続装置（２６）とは、統合ユニットである。
2006502891.tif 000002
【特許請求の範囲】
【請求項１】
電動ホチキス（５）をコピー機設備（１）に機械的かつ電気的に取り付けるための装着装置（１３）において、この装着装置（１３）は、前記電動ホチキス（５）をコピー機設備（１）に取り付けるための、ホチキスに取着された第１の取り付け用部品（１６）およびコピー機設備に取着された第２の取り付け用部品（１７）を有する機械的な取り付け装置（１５）と、前記電動ホチキスを電源（２３）に電気的に接続させるための電気的な接続装置（２６）とを具備し、これら機械的な取り付け装置（１５）と電気的な接続装置（２６）とは、統合ユニットであることを特徴とする装着装置（１３）。
【請求項２】
前記機械的な両取り付け用部品 （１６、１７）には、これら取り付け用部品の一方（１６あるいは１７）と一体となったガイドレール（２０、２１）により構成されるガイド構成物と、前記取り付け用部品の他方（１７あるいは１６）と一体となったガイドランナー（１８、１９）とが設けられており、これらガイドレールとガイドランナーとは、電動ホチキス（１５）がコピー機設備（１）内に設けられたときに互いに係合することを特徴とする請求項１の装着装置（１３）。
【請求項３】
前記機械的な取り付け装置（１５）は、前記２つの取り付け用部品（１６、１７）が結合されたときに、これら取り付け用部品を固定するスナップ式ラッチ（２７、２８、２９）を有することを特徴とする請求項２の装着装置（１３）。
【請求項４】
前記電気的な接続装置（２６）は、前記機械的な取り付け用部品の一方（１６あるいは１７）に取着された第１の接続部（２４）と、前記機械的な取り付け用部品の他方（１７あるいは１６）に取着された第２の接続部（２５）とを有し、これら第１および第２の接続部は、前記２つの機械的な取り付け用部品が組み合わせられたときに電気的な接続部を形成するように結合されることを特徴とする前記全ての請求項のいずれか１の装着装置（１３）。
【発明の詳細な説明】
【技術分野】
【０００１】
本発明は、電動ホチキスをコピー機設備に機械的かつ電気的に接続させるために使用される装着装置に関わる。
【背景技術】
【０００２】
上述されたタイプの装着装置が公知である。このタイプの構成物は、一般には、この構成物をコピー機設備に取り付けるためのねじ込み式接合部から構成されており、電力供給が、別個の配線を用いて成される。
【発明の開示】
【発明が解決しようとする課題】
【０００３】
しかし、この構成物は、多くの欠点を有する。かくして、例えば、構成物がホチキスを適所に取り付けるために使用されている場合、多くの手動操作が必要となる。また、ホチキスに修理および他の作業を行う必要があるときにも、スペースの欠如により、この構成物からホチキスを取り外すことは一般的に難しい。殆んどのケースでは、ホチキスを取り外すためにコピー機を相当に分解することが必要になる。また、通常はスペースが限られているので、電源ケーブルがホチキスに再び接続される場合に不良接触となる危険が大きくあり、これによって、ホチキスが作動しなくなる可能性がある。もう１つの欠点は、ホチキス針のカートリッジが規則的な間隔で補充もしくは交換されなくてはならないことから、そのカートリッジへ容易にアクセス可能であるような形でホチキスがコピー機設備内に設けられなくてはならないことである。これは、コピー機設備に、そのデザインに応じてホチキスへのアクセスを提供する開口部を形成しなくてはならないことを意味するが、所定のコピー機設備では、開口部を形成することが極めて難しい場合もある。
【０００４】
かくして、電動ホチキスが単純かつ安全な方法でコピー機設備に接続およびこれから解放され得るようにし、また不良接触の危険を生じずにホチキスが簡単に繰り返し解放および再接続され得るようにする装着装置を提供する必要性が存在している。
【課題を解決するための手段】
【０００５】
本発明は、導入部で説明されたタイプの装着装置を使用して、以上の問題を克服する。この装着装置は、ホチキスをコピー機設備に機械的に取り付けるための、ホチキスに取着された第１の取り付け用部品とコピー機設備に取着された第２の取り付け用部品とを有する機械的な取り付け装置と、ホチキスを電源に電気的に接続するための電気的な接続装置とを有し、これら機械的な取り付け装置と電気的な接続装置とは、一体にされていることを特徴としている。
【０００６】
本発明はまた、２つの機械的な取り付け用部品に、ガイド構成物が設けられていることを特徴としている。ガイド構成物は、取り付け用部品の一方と一体となったガイドランナーと、取り付け用部品の他方と一体となったガイドレールとを有する。ホチキスがコピー機設備に取り付けられたとき、ガイドランナーとレイルとが互いに係合される。
【０００７】
本発明はまた、機械的な取り付け装置がスナップ式ラッチを有することを特徴としている。スナップ式ラッチは、２つの取り付け用部品が組み合わされたときに、これら取り付け用部品を互いに固定する。
【０００８】
本発明は更に、電気的な接続装置が、機械的な取り付け用部品の一方に取着された第１の取り付け用部品と、機械的な取り付け用部品の他方に取着された第２の取り付け用部品とを有し、これら第１および第２の取り付け用部品が、２つの機械的な取り付け用部品が組み合わされたときに導電接触部となることを特徴としている。
【０００９】
本発明は、添付図面を参照して説明される。
【発明を実施するための最良の形態】
【００１０】
図１および図２は、コピー機２と仕上げ機３とを有するコピー機設備１を示している。コピー機でコピーが行われた後、コピーがされたペーパが仕上げ機に送られ、この仕上げ機でこうした紙が分類されホチキス留めされ、トレイ４に排出される。このプロセスは一般に知られていることから、ここでは更に詳しくは説明しない。ホチキス５が仕上げ機に設けられており、仕上げ機内の開口部６を通してアクセス可能となっている。この開口部６は、仕上げ機３のドア７によって閉鎖可能である。
【００１１】
図３は、仕上げ機３の切断図であり、仕上げ機に供給ローラ８および９が設けられていて、これらローラの間でストッパー１１までペーパ１０が供給されることを示している。ペーパは、図３には示されていないコピー機２から供給される。ペーパをストッパー１１まで供給することはまた、ペーパの１つの角部１２をホチキス５によってホチキス留めされる所定の位置に位置させることも意味する。特定数のペーパが所定位置に供給されると、ホチキス留めが公知の方法で行われ、これに続いて、ホチキス留めされた束が、図１に示されているトレイ４の１つに公知の方法で排出され得る。図３では、ホチキス５が、装着装置１３によって仕上げ機３内に設けられた状態で示されている。図３に類似した図である図４では、ホチキス５が、以下に説明されるように開口部６を通して取り除かれる方法でコピー機設備から外された状態で示されている。図５では、ホチキスのカートリッジ１４が、ホチキス５から取り外された状態で示されている。容易に理解されるであろうが、この取り外し作業は、ホチキスがコピー機設備から分離されているときには非常に簡単に実施可能である。
【００１２】
前記装着装置１３は、図面６〜１０を参照しながら以下に詳しく説明される。この装着装置１３は、ホチキス５をコピー機設備１に機械的に取り付けるための機械的な取り付け装置１５を有している。この取り付け装置１５は、ホチキス５に取着された第１の取り付け用部品１６と、図４および図５に示されているようにコピー機設備１に取着された第２の取り付け用部品１７とを有する。取り付け用部品１６には、第１のガイドランナー１８と第２のガイドランナー１９とが設けられ、第２の取り付け用部品１７には、第１のガイドレール２０と第２のガイドレール２１とが設けられている。導線２２が、取り付け用部品１７に接続されている。この導線は、図５に示されているように電源２３に接続され、また、取り付け用部品１７内に位置されたピン２４に接続されている。取り付け用部品１６には、ピン２４に対応するスリーブ２５が設けられており、これらのスリーブが、ホチキス５内に収容された電気モータ（図示されず）に接続された導線に電気的に接続されている。これらピン２４とスリーブ２５とが、ホチキス５をコピー機設備１に電気的に接続するための電気的な接続装置２６を形成している。取り付け用部品１７にはまた、弾性的にはねるアーム部２８を備えたラッチ２７が設けられている。このアーム部は、双頭矢印Ｐによって示された方向に自由に動き、一体的な捕捉部（catch）２９が設けられている。取り付け用部品１６と１７とが図１０に示されているような形で係合されたときは、ホチキス５の後方端部で捕捉部２９がラッチ面３０と係合する。
【００１３】
装着装置１３の動作が、図１〜１０を参照して以下に説明される。ホチキス５をコピー機設備１内に取り付けるときは、開口部６へのアクセスを果たすためにカバー７が最初に開かれる。ホチキス５が、開口部６中を通過して、取り付け用部品１７の方向に向かう。取り付け用部品１６の裏面３１が、捕捉部２９と接触し、この捕捉部が、弾性的にそれて双頭矢印Ｐの下方向へと動く。ホチキスが取り付け用部品１７の方向に更に進むと、ガイドランナー１８、１９がガイドレール２０、２１内に夫々に挿入される。他方で、捕捉部２９が、裏面３１に沿って摺動する。ホチキスが取り付け用部品１７の方向に更に進むと、ピン２４がスリーブ２５中に入り、ホチキスが電気的に接続される。最後に、取り付け用部品１６の接触面３２を取り付け用部品１７の接触面３３と接触させるために充分なところまでホチキスが進み、これにより、ホチキスが正確な位置に確実に配置され得る。この位置では、アーム部２８が自由に跳ね返り、捕捉部２９がホチキスのラッチ面３０を把持するので、ホチキスが、所定の位置に確実に保持され得る。ホチキスを取り外すときは、捕捉部２９が図１０の矢印Ｎの方向に押し下げられ、これにより、ラッチ面３０からこの捕捉部２９の把持部が解放され、図１０に示された矢印Ｂの方向に取り付け用部品１６および１７を分離するのに充分な距離だけホチキスが引き出され得るようにする。ホチキスは、開口部６を通してコピー機設備から容易に取り外すことが可能で、修理またはカートリッジの交換が、必要なときに簡単に行われ得る。
【００１４】
図面は、ガイドランナーが取り付け用部品１６と一体的であり、ガイドレールが取り付け用部品１７と一体的であるように示しているが、本発明に影響することなく、ガイドランナーが取り付け用部品１７と一体にされ、ガイドレールが取り付け用部品１６と一体にされてもよいことが、当業者には明らかであろう。同様に、本発明を変更することなく、ピン２４が取り付け用部品１６と結合され、スリーブ２５が取り付け用部品１７と結合されてもよいことが明らかである。
【図面の簡単な説明】
【００１５】
【図１】コピー機設備の全面的な概略図である。
【図２】図１の線Ａ―Ａによって囲まれている区域の詳細図である。
【図３】ホチキスが取り付けられた状態のコピー機設備の部分的な断面図である。
【図４】図３に類似しているが、ホチキスが取り除かれている状態のコピー機設備の図である。
【図５】図４に類似しているが、他の角度から見られ、ホチキスのカートリッジが取り除かれた状態にあるコピー機設備の図である。
【図６】取り付け前のホチキスと本発明に関わる装着装置とを示す詳細図である。
【図７】本発明の装着装置の取り付けが完了した状態にある図６に類似した図である。
【図８】本発明の装着装置の取り付けが完了した状態にある図６に類似した図である。
【図９】本発明の構成物がホチキスの後部から斜めに見られている図６に類似した図である。
【図１０】図９に示されているのと同じ位置から見られている図８に類似した図である。
【図１】
2006502891.tif 000003
【図２】
2006502891.tif 000004
【図３】
2006502891.tif 000005
【図４】
2006502891.tif 000006
【図５】
2006502891.tif 000007
【図６】
2006502891.tif 000008
【図７】
2006502891.tif 000009
【図８】
2006502891.tif 000010
【図９】
2006502891.tif 000011
【図１０】
2006502891.tif 000012
【国際調査報告】
2006502891.tif 000013
2006502891.tif 000014